(57)【要約】      （修正有）【課題】内管の先端側と外管の基端側とを拡径にしても、ストローを容器内に容易に刺し込むことができ、しかもストローを容器内に刺し込んだ状態では、どの長さの刺し込み量でもストローと容器の挿入口との間に隙間が形成される飲料用二段式ストローを提供する。【解決手段】径の異なる内管１と外管２が伸縮自在に組合された飲料用二段式ストローにおいて、前記内管１の先端側を、前記外管２の外径よりも小さい範囲内で拡径すると共に、その拡径した先端を鋭角にした突き刺し部１ａに成形させ、且つ、前記外管２には、少なくとも基端側に、その外管２の外径よりも大きいリング状の拡径部２ａを形成する。【選択図】図１
0003177237.tif 000002
【実用新案登録請求の範囲】
【請求項１】
径の異なる内管（１）と外管（２）が伸縮自在に組合された飲料用二段式ストローにおいて、前記内管（１）の先端側を、前記外管（２）の外径よりも小さい範囲で拡径すると共に、その拡径した先端を鋭角にした突き刺し部（1a）に成形させ、且つ、前記外管（２）には、少なくとも基端側に、その外管（２）の外径よりも大きい略リング状の拡径部（2a）を形成したことを特徴とする飲料用二段式ストロー。
【請求項２】
前記外管（２）には、前記拡径部（2a）の外に、軸方向に細長な長溝（2d）を形成した請求項１記載の飲料用２段式ストロー。
【請求項３】
前記突き刺し部（1a）が、その先端を斜めにカットした請求項１又は２記載の飲料用２段式ストロー。
【考案の詳細な説明】
【技術分野】
【０００１】
本考案は、飲料を封入した容器内に刺し込んで、中の飲料を吸引するプラスチック製の飲料用ストローに関し、特には伸縮可能な二段式ストローに関する。
【背景技術】
【０００２】
従来、プラスチック製の飲料用ストローについては、ストレート状のものや伸縮自在な二段式のものがあり、小型の容器に添付するのに二段式ストローが使用されている。
これらストローを使用して飲料を吸引する場合に、容器の挿入口が合成樹脂フィルムで封印したものでは、それにストローを刺し込むと、フィルムが挿入したストローの外周に密着し、吸引すると容器内に外部から空気があまり入らず容器が変形したり、吸引が不可能になる。
【０００３】
これに対するストローが種々開発され、特許文献１のものは、外ストローと内ストローとからなり、外ストローの先端を斜めに切断してあり、内ストローの長さを外ストローの長さの概略２倍程とし、内ストローの半分程を外ストロー内に納めてあり、この内ストローを外ストローから引き出して伸長するようにし、内ストローの中間部位置に蛇腹部を設ける飲料用二重ストローが開示されている。
【０００４】
また、特許文献２では、外側ストローと内側ストローとからなり、外側ストローを比較的硬い材質とし、内側ストローを比較的柔軟な材質としてあり、外側ストローの先端を尖鋭にすると共に基端に縮径部を形成する一方、内側ストローの先端に拡径部を形成し、内側ストローを基端側に抜き出し伸長した状態で、上記拡径路を縮経路とが係合するようにしてある飲料用二重ストローが開示されている。
【０００５】
更に、特許文献３では、径の大きさが異なる外管と内管が伸縮自在に組合される多段式の飲料用ストローであり、縮小時に最も内側に位置する内管の一端には、先端部に向って径が徐々に拡大する拡径部が設けられ、その拡径部は先端から斜めにカットされている飲料用ストローが開示されている。
そして、ストローを飲料容器の挿入口に挿入する際、拡径部により、容器の挿入口に外管の軸部より大きい穴があき、軸部と容器の開いたストロー挿入口の間に隙間ができ、これにより、飲料容器のフィルムシートの材質に関係なく容器内部への空気流入経路を確保でき、容器の変形や異音の発生を防止できるというものである。
【先行技術文献】
【特許文献】
【０００６】
【特許文献１】特開２００９−２４７６３１号公報
【特許文献２】特開昭６２−１９２１２３号公報
【特許文献３】特開２０１１−０７８５５４号公報
【考案の概要】
【考案が解決しようとする課題】
【０００７】
しかしながら、特許文献１、２のものは、太い外ストローの先端側を斜めにカットし、外ストローを容器の挿入口に挿入する関係上、太い外ストローをいきなり容器挿入口に刺し込むことになり、大きな抵抗がかかり、容器挿入口の封印した材質によっては、斜めにカットした先端が曲って刺し込めなくなる。
このため、どうしても、外ストローの材質を硬くしたり、あるいは厚くしたりして強化することを必要とし、製造上手間を要し、且つコスト高となる問題点を有していた。
【０００８】
また、特許文献３のものでは、内管の先端部を拡径にし、斜めにカットしたものであるが、二重ストローの場合、内管の先端部を拡径にするには、内管を外管に挿入した状態で内管の先端部を拡径にしなければならず、先に内管の先端部を拡径した状態では、内管の両端が拡径となるため、内管が外管に入らない。
従って、内管を外管に挿入した状態で、後から内管の先端部を拡径に加工することになる。この細い内管を拡径すると、どうしても拡径部の肉厚が薄くなり、特に、特許文献３のように、内管の拡径部を外管の径よりも大きくしないと意味がないので、外管の径よりも大きく拡径すると、その拡径部はより肉厚が薄く強度も弱くなり、且つ大きな拡径部を容器に刺し込むため、その際により大きな抵抗を生じて拡径部が変形し易く、これらからして、容器に対するストローの刺し込みがうまくいかないという問題点を有していた。
【０００９】
本考案は、内管の先端側と外管の基端側とを拡径にしても、ストローを容器内に容易に刺し込むことができ、しかもストローを容器内に刺し込んだ状態では、どの長さの刺し込み量でもストローと容器の挿入口との間に隙間が形成される飲料用二段式ストローを提供することを目的とする。
【課題を解決するための手段】
【００１０】
径の異なる内管（１）と外管（２）が伸縮自在に組合された飲料用二段式ストローにおいて、前記内管（１）の先端側を、前記外管（２）の外径よりも小さい範囲内で拡径すると共に、その拡径した先端を鋭角にした突き刺し部（1a）に成形させ、且つ、前記外管（２）には、少なくとも基端側に、その外管（２）の外径よりも大きいリング状の拡径部（2a）を形成する。
【００１１】
前記外管（２）には、前記拡径部（2a）の外に、軸方向に長溝（2d）を形成するのがよい。
【００１２】
前記突き刺し部（11）が、その先端を斜めにカットするのが好ましい。
【考案の効果】
【００１３】
本発明の二段式ストローにおいては、内管（１）の先端側を、外管（２）の外径よりも小さい範囲内で拡径し、その拡径した先端を鋭角にした突き刺し部（1a）に形成させたことにより、突き刺し部（1a）を拡径しても、その拡径する範囲が限定されているため、突き刺し部（1a）の肉厚もあまり薄くならず、突き刺し部（1a）の容器に突き刺す強度が充分確保される。従って、ストローは容易に容器の挿入口から挿入することができ、従来のように、突き刺し部（1a）が外管（２）の外径よりも大きく拡径すると、肉厚が薄くなり、それを補うための内管（１）の肉厚を多くしたり、材質を強化する必要がなく加工上有利となる。
【００１４】
また、ストローを容器に刺し込む際に、ストローの刺し込む深さの順に、内管（１）の突き刺し部（1a）、外管（２）そして外管（２）の拡径部（2a）の順序で、段々と大きく拡径されながら容器の挿入口に穴が開けられるため、外管（２）より大きな拡径部（2a）を刺し込んでも、容器に対するストローの刺し込みに無理がなく容易に刺し込められる。
【００１５】
また、内管（１）と外管（２）との両方に拡径を施したことにより、伸長した状態で容器内に挿入したストローは、内管（１）の部分だけを挿入した状態、あるいは外管（２）まで挿入した状態のいずれの場合であっても、ストローと容器の開いた挿入口との間には、必ず隙間が確保される。従って、ストローをどのような刺し込み量の状態で吸引したとしても、容器内部に空気が容易に流入し、真空状態での容器の変形や吸引不能等が生じることもない。
【００１６】
また、外管（２）には、拡径部（2a）の外に、軸方向に長溝（2d）を形成したことにより、挿入したストローの外管（２）と容器の開いた挿入口との隙間が長溝（2d）によって更に追加され、拡径部（2a）の径をあまり大きくしなくてもよく、これにより拡径部（2a）の挿し込みをより容易にできる。
【図面の簡単な説明】
【００１７】
【図１】本考案の実施例に係る二段式ストローを縮めた状態を示す側面図である。
【図２】本考案の実施例に係る二段式ストローを伸長した状態の断面図である。
【図３】本考案の他の実施例を示す側面図である。
【考案を実施するための形態】
【００１８】
以下、本考案の実施形態について、図を基に説明する。図１、図２において、（１）は内管、（２）は外管であり、内管（１）の先端側を残して他の部分が外管（２）内に収納され、この内管（１）を外管（２）から引き出して伸長するようにしてある。
【００１９】
そして、  外管（２）の基端側には縮径した外管係止部（2b）を形成し、他方、内管（１）の基端側には拡径した内管係止部（1b）を形成している。これによりに外管（２）に収納した内管（１）を外管（２）の基端側に引出すと、内管（１）の内管係止部（1b）が外管（２）の外管係止部（2b）と係合して、内管（１）が外管（２）の基端側より抜け出さないようにしている。この際に、外管（２）の内側に突出する複数のストッパー（2c）も、内管（１）の基端に係合し、伸長した内管（１）が外管（２）内に戻るのを防止している。
これら、内管（１）と外管（２）とが係合する構成については、本考案の目的でなく、上記した以外の公知の係合手段を用いてもよい。
【００２０】
更に、内管（１）の先端側、つまり突き刺す側には、外管（２）の外径よりも小さい範囲内で拡径すると共に、その拡径した先端を鋭角にした突き刺し部（1a）に形成している。
この突き刺し部（1a）の外径は、内管（１）の外径よりも大きく、外管（２）の外径よりも小さい範囲のものであり、好ましくは、内管（１）と外管（２）の外径に対して、その中間の外径にするのがよい。
また、突き刺し部（1a）の先端を鋭角にするには、先端を斜めにカットするのがよい。
【００２１】
また、外管（２）には、その基端側で外管係止部（2b）近くの外周に略リング状の拡径部（2a）を形成し、その拡径部（2a）は外管（２）の外径よりも大きい略リング状のもので、その断面が略半管状であり、外管（２）の周方向に外管（２）から突出し一体成形したものである。
【００２２】
更に、図３に示すように、外管（２）には、拡径部（2a）の外に、外管（２）を凹まして軸方向に伸びる細長な長溝（2d）を形成している。この長溝（2d）は、拡径部（2a）の外径を大きくすると、容器の挿入口を封鎖する材質によっては、拡径部（2a）が容器の挿入口に入りづらいので、あまり大きくせずに容易に挿入できるようにするが、この際に、拡径部（2a）で開けられた挿入口と外管（２）との隙間が狭くなるため、この長溝（2d）によって、別な隙間を確保するためのものである。
【００２３】
このように構成された、本考案の二段式ストローの使用においては、先ず、外管（２）から内管（１）を引き出して、内管（１）の内管係止部（1b）が外管（２）の外管係止部（2b）と係合し、且つ、ストッパー（2C）が内管（１）の基端に係合した状態までストローを伸長させ、この状態でストローの突き刺し部（1a）を容器の挿入口に突き刺し、更に刺し込んで行くと、やがて外管（２）の外管係止部（2b）が刺し込まれ、挿入口の穴径は、外管（２）の外径まで拡径され、更にストローを刺し込むと、次の拡径部（2a）が挿入口に刺し込まれ、最終的に挿入口の穴径は、外管（２）よりも大きなものが開けられる。
従って、容器の挿入口は小さい方から順番に大きく開けられるため、無理がなくスムースにストローを刺し込むことができる。また外管（２）に長溝（2d）を形成したものは、挿入口に外管（２）を長溝（2d）まで刺し込まれた状態において、長溝（2d）の部分にも凹んだ隙間が生じるのである。
【００２４】
次に、ストローの使用においては、内管（１）のみを挿入した状態でストローを吸引しても、容器の挿入口には突き刺し部（1a）により内管（１）の外径よりも大きな穴が開いているので、自由に空気が容器内に入り込み、吸引し易く、容器の変形も起こらない。
他方、外管（２）の拡径部（2a）を刺し込んだ状態でストローを吸引しても、外管（２）よりも挿入口の開いた穴が大きいため、内管（１）のみを挿入した状態と同様に吸引し易く、容器の変形も起こらない。
よって、本考案のストローは容器の挿入口に対する刺し込みが確実で、ストローのどの刺し込み位置においても吸引による容器の変形や吸引不能になることがない。
【符号の説明】
【００２５】
１  内管
1a  突き刺し部
２  外管
2a  拡径部
2d  長溝
【図１】
0003177237.tif 000003
【図２】
0003177237.tif 000004
【図３】
0003177237.tif 000005